(57)【要約】      （修正有）【課題】プライベート空間の構築における組立、解体作業が容易で保管の省スペース化も図れ、背もたれができる十分な強度を有しているとともに、材質的質感上の違和感の問題も解消できる間仕切りパネルセット及びこれを用いた間仕切り構造を提供する。【解決手段】間仕切り構造は、第１のパネルＷ（７）と、第２のパネルＮ（９）と、これらより小幅の固定用パネル１１とから構成される。第１のパネルは、横幅方向の両端部にそれぞれ上端から下方へ縦幅の半分に亘って延びる上端開放スリットを有し、第２のパネルは、横幅方向の両端部の一方側に上端開放スリットを有し且つ他方側に下端から上方へ縦幅の半分に亘って延びる下端開放スリットを有し、固定用パネルは下端開放スリットを有し、上端下端開放スリットは共にパネル２枚分の厚みを収容する溝幅を有する。固定用パネルは上下反転する場合があり、支柱となる通常連結部Ｐ１、コーナ連結部Ｐ２、エンド部Ｐ３ａ、ｂで二重クロスに補強される。【選択図】図１
0003228861.tif 000002
【実用新案登録請求の範囲】
【請求項１】
それぞれ矩形形状に形成された、複数の第１のパネル及び第２のパネルと、これらのパネルよりも横幅が小さい複数の固定用パネルとから構成され、
前記第１のパネルは、横幅方向の両端部にそれぞれ上端から下方へ縦幅の半分に亘って延びる上端開放スリットを有し、前記第２のパネルは、横幅方向の両端部の一方側に前記上端開放スリットを有し且つ他方側に下端から上方へ縦幅の半分に亘って延びる下端開放スリットを有し、前記固定用パネルは前記下端開放スリットを有し、前記上端開放スリットと前記下端開放スリットは共にパネル２枚分の厚みを収容する溝幅を有してなる間仕切りパネルセット。
【請求項２】
請求項１に記載した間仕切りパネルセットにおいて、
前記第２のパネルは上端部に横幅方向に間隔をおいて２つの持手を有し、前記下端開放スリットは下端側が幅広に形成されていることを特徴とする間仕切りパネルセット。
【請求項３】
請求項２に記載した間仕切りパネルセットにおいて、
前記第１のパネルと前記固定用パネルはそれぞれ、上端部に少なくとも１つの持手を有していることを特徴とする間仕切りパネルセット。
【請求項４】
請求項２又は３に記載した間仕切りパネルセットにおいて、
前記持手が横幅方向に延びる長穴であることを特徴とする間仕切りパネルセット。
【請求項５】
複数のパネルを平面視で矩形状となるように配置して連結してなる間仕切り構造であって、前記パネルが、それぞれ矩形形状に形成された、第１のパネル及び第２のパネルと、これらのパネルよりも横幅が小さい固定用パネルとから構成され、
前記第１のパネルは、横幅方向の両端部にそれぞれ上端から下方へ縦幅の半分に亘って延びる上端開放スリットを有し、前記第２のパネルは、横幅方向の両端部の一方側に前記上端開放スリットを有し且つ他方側に下端から上方へ縦幅の半分に亘って延びる下端開放スリットを有し、前記固定用パネルは前記下端開放スリットを有し、前記上端開放スリットと前記下端開放スリットは共にパネル２枚分の厚みを収容する溝幅を有してなり、
前記第１のパネル同士が横幅方向に連なって重なった部位と前記第１のパネルと前記第２のパネルとが横幅方向に連なって重なった部位では前記固定用パネルは２枚重ねで十字状に直交配置され、前記第１のパネルと前記第２のパネルとが直交状態で連結される部位では、前記固定用パネルは前記第１のパネルに対して前記下端開放スリットを上向きにして外側に重ねられ、前記第２のパネルに対して前記下端開放スリットを下向きにして外側に重ねられていることを特徴とする間仕切り構造。
【考案の詳細な説明】
【技術分野】
【０００１】
本考案は、災害時の避難所や室内で空間を区画するための間仕切りパネルセット及びこれを用いた間仕切り構造に関するものである。
【背景技術】
【０００２】
台風や水害、地震等の災害時には体育館や公民館等の避難所に避難するが、近年では精神衛生上の観点から避難家族毎にプライベート空間を確保することが一般的となっている。また、ウイルス等の感染症対策が同時に求められる近時においては、人と人との間を遮断するプライベート空間の構築は必須ともいえる。
この種のプライベート空間は一時的なものであるため、低コストで組立、解体作業が容易で自治体等における保管の省スペース化を図れるものが望まれる。
このような観点から、ダンボール等を利用した紙製の間仕切りが提案されている。
例えば、特許文献１には、面積が同一の一対のベース板にそれぞれ係合溝を形成して十字状に組み合わせたものを隅部材とし、隅部材間に継ぎ板を配置してこれらの端部間を両側に溝を有する止め板で連結する構造の避難所用間仕切りが提案されている。
【先行技術文献】
【特許文献】
【０００３】
【特許文献１】特開２０１４−７４２９６号公報
【考案の概要】
【考案が解決しようとする課題】
【０００４】
ところで、避難所生活では、座ったり、寝たりするだけでなく、間仕切りに背をもたれ掛けた状態で本や新聞などを読みたい場合もあるが、ダンボール等の紙製の場合これを可能とする程の強度（剛性）はない。
また、屋内に例えば子供の遊び場としてのプライベート空間を形成しようとする場合、紙製の間仕切り構造では強度が弱い上に、紙製であるために屋内の他の構築部材との質感上の違和感が目立ち過ぎるという問題があった。
【０００５】
本考案は上記従来の問題点に着目して為されたものであり、避難所や一般家屋においてプライベート空間を構築するための組立、解体作業が容易で、且つ保管の省スペース化も図ることが可能で、しかも背もたれができる十分な強度を有しているとともに、材質的質感上の違和感の問題も解消できる間仕切りパネルセット及びこれを用いた間仕切り構造の提供を、その目的とする。
【課題を解決するための手段】
【０００６】
本考案は、上記目的を達成するために為されたものであり、請求項１の考案は、それぞれ矩形形状に形成された、複数の第１のパネル及び第２のパネルと、これらのパネルよりも横幅が小さい複数の固定用パネルとから構成され、前記第１のパネルは、横幅方向の両端部にそれぞれ上端から下方へ縦幅の半分に亘って延びる上端開放スリットを有し、前記第２のパネルは、横幅方向の両端部の一方側に前記上端開放スリットを有し且つ他方側に下端から上方へ縦幅の半分に亘って延びる下端開放スリットを有し、前記固定用パネルは前記下端開放スリットを有し、前記上端開放スリットと前記下端開放スリットは共にパネル２枚分の厚みを収容する溝幅を有してなる間仕切りパネルセットである。
【０００７】
請求項２の考案は、請求項１に記載した間仕切りパネルセットにおいて、前記第２のパネルは上端部に横幅方向に間隔をおいて２つの持手を有し、前記下端開放スリットは下端側が幅広に形成されていることを特徴とする間仕切りパネルセットである。
【０００８】
請求項３の考案は、請求項２に記載した間仕切りパネルセットにおいて、前記第１のパネルと前記固定用パネルはそれぞれ、上端部に少なくとも１つの持手を有していることを特徴とする間仕切りパネルセットである。
【０００９】
請求項４の考案は、請求項２又は３に記載した間仕切りパネルセットにおいて、前記持手が横幅方向に延びる長穴であることを特徴とする間仕切りパネルセットである。
【００１０】
請求項５の考案は、複数のパネルを平面視で矩形状となるように配置して連結してなる間仕切り構造であって、前記パネルが、それぞれ矩形形状に形成された、第１のパネル及び第２のパネルと、これらのパネルよりも横幅が小さい固定用パネルとから構成され、前記第１のパネルは、横幅方向の両端部にそれぞれ上端から下方へ縦幅の半分に亘って延びる上端開放スリットを有し、前記第２のパネルは、横幅方向の両端部の一方側に前記上端開放スリットを有し且つ他方側に下端から上方へ縦幅の半分に亘って延びる下端開放スリットを有し、前記固定用パネルは前記下端開放スリットを有し、前記上端開放スリットと前記下端開放スリットは共にパネル２枚分の厚みを収容する溝幅を有してなり、前記第１のパネル同士が横幅方向に連なって重なった部位と前記第１のパネルと前記第２のパネルとが横幅方向に連なって重なった部位では前記固定用パネルは２枚重ねで十字状に直交配置され、前記第１のパネルと前記第２のパネルとが直交状態で連結される部位では、前記固定用パネルは前記第１のパネルに対して前記下端開放スリットを上向きにして外側に重ねられ、前記第２のパネルに対して前記下端開放スリットを下向きにして外側に重ねられていることを特徴とする間仕切り構造である。
【考案の効果】
【００１１】
本考案によれば、避難所や一般家屋でのプライベート空間の構築における組立、解体作業が容易で保管の省スペース化も図ることが可能で、しかも背もたれができる十分な強度を有しているとともに、材質的質感上の違和感の問題も解消できる間仕切りパネルセット及びこれを用いた間仕切り構造を提供できる。
【図面の簡単な説明】
【００１２】
【図１】本考案の実施の形態に係る間仕切り構造の使用状態を示す斜視図である。
【図２】図１で示した間仕切り構造を構成する各パネルを説明する正面図で、（ａ）は第１のパネルを示す図、（ｂ）は第２のパネルを示す図、（ｃ）は固定用パネルを示す図である。
【図３】図１で示した間仕切り構造における第２のパネルと第１のパネルとの直線的な連結部位における組み立て方法を説明するための斜視図である。
【図４】図３で示した連結部位の組み立て完了後の状態を示す斜視図である。
【図５】図１で示した間仕切り構造における第１のパネルと第２のパネルとが直交する連結部位における組み立て方法を説明するための斜視図である。
【図６】図５で示した連結部位の組み立て完了後の状態を示す斜視図である。
【図７】図１で示した間仕切り構造のエンド部を示す斜視図で、（ａ）は第２のパネルのエンド部を示す図、（ｂ）は第１のパネルのエンド部を示す図である。
【図８】図１で示した間仕切り構造の組み立て方法の一例を示す斜視図で、（ａ）はコ字形を示す図、（ｂ）はＬ字形を示す図、（ｃ）はコ字形とＬ字形を連結した状態を示す図である。
【図９】図１で示した間仕切り構造を複数配置する場合の一例を示す斜視図である。
【図１０】図１で示した間仕切り構造と少人数用の間仕切り構造とを組み合わせた配置例を示す斜視図である。
【考案を実施するための形態】
【００１３】
以下、本考案の実施の形態について図を参照して説明する。
図１は、本実施の形態に係る間仕切り構造１の避難所での使用状態を示している。間仕切り構造１は、２人又は３人用のプライベート空間を区画形成するもので、工具を使わずに木質系材料で矩形形状に形成された３種類のパネル（後述）を使って、基本２人で容易に組み立てることができるようになっている。
間仕切り構造１は、複数のパネルを平面視で矩形形状（ここでは略長方形状）に配置して連結してなり、奥壁面１Ａ、左壁面１Ｂ、右壁面１Ｃ、前壁面１Ｄとから構成され、左壁面１Ｂと前壁面１Ｄとの交差部分は出入り口３として開口されている。
【００１４】
間仕切り構造１は、複数の通常連結部Ｐ１、コーナ連結部Ｐ２、エンド部Ｐ３を有しており、これらは支柱として機能し、いずれもパネルが二重にクロスする補強構成を有している。これにより、二点鎖線で示すように、避難者が壁面にもたれて本などを読んでも変形したり崩れたりしない強度が確保されている。
間仕切り構造１の内方の床面には、ドットで表示したダンボール製の床材５が複数枚敷かれている。床材５は上述の支柱部分の内方に突出した形状に沿う切欠き部を有しており、隙間なく配置されている。
【００１５】
図２に基づいて、間仕切り構造１を構成する３種類のパネルについて説明する。
（ａ）に示す第１のパネル７は、横幅Ｘと縦幅Ｚが等しい正方形の輪郭を有し、横幅方向の両端部にそれぞれ上端から下方へ縦幅の略半分に亘って平行に延びる一対の上端開放スリット７ａを有している。上端中央部には、横幅方向に延びる持手としての長穴７ｂを有しており、長穴７ｂは片手の指を入れることができる大きさに形成されている。
【００１６】
（ｂ）に示す第２のパネル９は、第１のパネル７と同じサイズの輪郭を有し、横幅方向の両端部の一方側に上端開放スリット９ａを有し且つ他方側に下端から上方へ縦幅の略半分に亘って延びる下端開放スリット９ｃを有している。上端部には、横幅方向に間隔をおいて２つの持手としての長穴９ｂを有し、下端開放スリット９ｃの下端側がテーパ状に広がる幅広に形成されている。長穴９ｂは長穴７ｂと同じ大きさを有している。
【００１７】
（ｃ）に示す固定用パネル１１は、第１のパネル７や第２のパネル９と同じ縦幅を有しているが、横幅Ｘ１は小さくなっており（約１／５）、細長い長方形の輪郭を有している。固定用パネル１１は下方側中央部に下端から上方へ縦幅の略半分に亘って延びる下端開放スリット１１ａを有しており、上端中央部には持手としての長穴１１ｂを有している。長穴１１ｂは長穴７ｂや９ｂと同じ大きさを有している。下端開放スリット１１ａの下端側は左右対称にテーパ状に広がる形状を有している。
固定用パネル１１は、下端開放スリット１１ａを下向きにして組み付ける通常使用形態と、下端開放スリット１１ａを上向きにして主に補強板として組み付ける逆さ使用形態の２つの使用形態をとる。
「通常連結部」とは、固定用パネル１１が部材間を連結する目的で用いられる部位を意味する。
【００１８】
本実施の形態における寸法は、第１のパネル７と第２のパネル９における横幅Ｘと縦幅Ｚがそれぞれ９００ｍｍ、固定用パネル１１の横幅Ｘ１が１９５ｍｍ、上端開放スリット７ａ、９ａ、下端開放スリット９ｃ、１１ａの深さｈが４６０ｍｍ、第２のパネル９の下端開放スリット９ｃの開放端幅ｔ１が３９ｍｍ、固定用パネル１１の下端開放スリット１１ａの開放端幅ｔ２が５９ｍｍである。
第１のパネル７、第２のパネル９及び固定用パネル１１はいずれも集成材から構成されており、パネル厚みはいずれも約９ｍｍとなっている。上端開放スリット７ａ、９ａ、下端開放スリット９ｃ、１１ａの溝幅ｄは、厚みが同一のパネル２枚分を密接状態に収容できる大きさ（約１９ｍｍ）となっている。
【００１９】
図３及び図４に基づいて、図１の奥壁面１Ａと左壁面１Ｂに各１箇所、右壁面１Ｃに２箇所存在する通常連結部Ｐ１（第１のパネル７同士の連結部又は横幅方向に連なる第１のパネル７と第２のパネル９間の連結部）の組み立て方法について説明する。
なお、スリットの配置形態から、第１のパネル７をＷ型、第２のパネル９をＮ型と簡易的に呼ぶこととし、各図では単にＷ、Ｎと表示して適宜数字符号と併記している。
図１において、符号Ｐ１（ＷＷ）は第１のパネル７同士の通常連結部を、Ｐ１（ＮＷ）は第１のパネル７と第２のパネル９間の通常連結部を示している。
また、Ｐ３ａは前壁面１Ｄのエンド部を、Ｐ３ｂは左壁面１Ｂのエンド部を示している。エンド部Ｐ３ａ、Ｐ３ｂは出入り口３の門柱となる。
【００２０】
図３は、右壁面１Ｃにおける通常連結部Ｐ１（ＮＷ）の組み立て方法を示している。
不図示の１人の作業者が、第２のパネル９と第１のパネル７とを横幅方向に連なるように配置し、上端開放スリット９ａと図２において左側の上端開放スリット７ａがパネルの厚み方向で重なるように端部を重ねた状態に保つ。
この状態で、不図示の他の作業者が、まず、二点鎖線で示すように１つの固定用パネル１１を下端開放スリット１１ａが下向きとなる通常使用形態でその下端部を上端開放スリット９ａ、７ａが重なった溝内に横幅方向に直交する状態で進入させ、その後垂直に下して下端開放スリット１１ａを嵌合する。
【００２１】
１つ目の固定用パネル１１を嵌合すると、第２のパネル９と第１のパネル７の各端部の下半部（スリットが形成されていない部分）はパネル２枚分の厚みを収容する溝幅ｄを有する下端開放スリット１１ａに密接に収容されて拘束されるので、第２のパネル９と第１のパネル７間の仮固定（仮連結）がなされる。固定用パネル１１は第２のパネル９及び第１のパネル７に対して十字状に直交配置されるため、１つ目の固定用パネル１１を嵌合しただけでも第２のパネル９及び第１のパネル７は安定に連結され、手で支えなくても立った状態を維持できる。
【００２２】
この状態で２つ目の固定用パネル１１を実線で示すように、通常使用形態で上方に持ち上げ、上端開放スリット９ａ、７ａの残りの隙間を利用して垂直に下して嵌合する。
２つ目の固定用パネル１１が嵌合すると、第２のパネル９と第１のパネル７の各端部の下半部（スリットが形成されていない部分）が下端開放スリット１１ａに密接に収容されるとともに、固定用パネル１１同士の上半部（スリットが形成されていない部分）が上端開放スリット９ａ、７ａ内に密接に収容される。
これにより、図４に示すように、パネルが二重にクロスした強度の大きい通常連結部Ｐ１（ＮＷ）が形成される。換言すれば、第２のパネル９と第１のパネル７とが横幅方向に連なった間仕切りが完成する。
【００２３】
横幅方向に連なる第１のパネル７同士間の通常連結部Ｐ１（ＷＷ）においても同様の組み立て作業となる。
【００２４】
図５及び図６に基づいて、第１のパネル７と第２のパネル９とが直交する連結部（コーナ連結部Ｐ２）の組み立て方法について説明する。
図５に示すように、まず、不図示の１人の作業者が、第１のパネル７の端部の外側に１つ目の固定用パネル１１をその下端開放スリット１１ａが上向きとなる逆さ使用形態で重ね合わせ、第１のパネル７の上端開放スリット７ａと固定用パネル１１の下端開放スリット１１ａがパネルの厚み方向で重なった状態に保持する。
この状態で他の作業者１３が、第２のパネル９を、その２つの長穴９ｂにそれぞれ片方の手の指を入れて両手で持ち上げ、下端開放スリット９ｃ側の下端角部を第１のパネル７の上端開放スリット７ａと固定用パネル１１の下端開放スリット１１ａとが重なった溝内に進入させる。その後第２のパネル９を垂直に起こして下し、下端開放スリット９ｃを嵌合する。この場合、図示するように第２のパネル９を上方に高く持ち上げる必要はなく、上端開放スリット９ａ側の下端角部が床に接触するような移動であってもよい。このため少ない労力で容易に連結することができる。
【００２５】
第１のパネル７に比べて第２のパネル９は下端開放スリット９ｃを嵌合するために持ち上げる必要がある。この持ち上げ作業を容易にするために第２のパネル９には２つの持手（長穴９ｂ）が設けられている。
【００２６】
第２のパネル９の下端開放スリット９ｃを嵌合すると、第１のパネル７と固定用パネル１１の下半部は第２のパネル９の下端開放スリット９ｃに密接に収容されて拘束されるので、第１のパネル７と第２のパネル９の仮固定（仮連結）がなされる。横幅寸法の大きいパネル同士の仮固定であるため、手で支えなくても立った状態を維持できる。
この状態で２つ目の固定用パネル１１を通常使用形態で上方に持ち上げ、上端開放スリット７ａと下端開放スリット１１ａの残りの隙間を利用して第１のパネル７の厚み方向と直交した配置状態で且つ第２のパネル９の外側に重なるように垂直に下して嵌合する。
【００２７】
通常使用形態の固定用パネル１１が嵌合すると、第１のパネル７の端部と逆さ使用形態の固定用パネル１１の下半部が第１のパネル７の横幅方向に重なった第２のパネル９の下端開放スリット９ｃと通常使用形態の固定用パネル１１の下端開放スリット１１ａに密接に収容されるとともに、第２のパネル９の端部と通常使用形態の固定用パネル１１の上半部が第１のパネル７の厚み方向に重なった第１のパネル７の上端開放スリット７ａと逆さ使用形態の固定用パネル１１の下端開放スリット１１ａに密接に収容される。
これにより、図６に示すように、パネルが二重にクロスした強度の大きいコーナ連結部Ｐ２が形成される。
【００２８】
第２のパネル９の下端開放スリット９ｃは作業者が第１のパネル７等にあてがいながら嵌合するため、その開放端の広がりはそれ程大きくする必要はないが、固定用パネル１１は上方から嵌合する場合があるため、嵌合の容易性（自由度）を得るべく、その開放端の幅を下端開放スリット９ｃに比べて左右に大きく広げている。
【００２９】
エンド部Ｐ３ａの組み立ては、図７（ａ）に示すように、第２のパネル９の端部の外側に固定用パネル１１を逆さ使用形態で重ねて保持し、その状態で通常使用形態の固定用パネル１１を２枚挿入・嵌合することにより形成される。
エンド部Ｐ３ｂの組み立ても同様に、図７（ｂ）に示すように、第１のパネル７の端部の外側に固定用パネル１１を逆さ使用形態で重ねて保持し、その状態で通常使用形態の固定用パネル１１を２枚挿入・嵌合することにより形成される。
【００３０】
コーナ連結部Ｐ２とエンド部Ｐ３における逆さ使用形態の固定用パネル１１と通常連結部Ｐ１の固定用パネル１１は、二重のクロス構成を得るための補強板としての役割を担っている。
【００３１】
２〜３人用の間仕切り構造１は、５枚の第１のパネル７と、３枚の第２のパネル９と、２０枚の固定用パネル１１とから構成されている。また、通常連結部Ｐ１は４箇所、コーナ連結部Ｐ２は３箇所、エンド部Ｐ３は２箇所あり、固定用パネル１１は通常連結部Ｐ１とコーナ連結部Ｐ２で各２枚ずつ、エンド部Ｐ３ａ、Ｐ３ｂでは各３枚ずつの合計２０枚である。
これらを一纏めにしたものが本実施の形態に係る間仕切りパネルセットである。
実際には、目的の広さの間仕切り構造を構築するための必要数の各パネルと床材５とが１つのセット（積層梱包）となって流通することになる。
【００３２】
上端開放スリット７ａ、９ａと、下端開放スリット９ｃ、１１ａの深さｈは上記の通り４６０ｍｍであり、これは縦幅Ｚ（９００ｍｍ）の半分（４５０ｍｍ）を超える。これは、スリット形成の誤差によって各パネルの上面高さや下面の高さが揃わなくなるのを回避するための余裕寸法であり、「縦幅の半分に亘って延びる」はこのような余裕寸法も含む意味である。
【００３３】
間仕切り構造１の組み立ては、壁面を順次形成する方法でもよいが、図８に示すように、まず（ａ）に示すコ字形１５と（ｂ）に示すＬ字形１７とを個別に組み立て、これらを（ｃ）に示すように２枚の通常使用形態の固定用パネル１１を使って連結することにより、容易に組み立てることができる。
本実施の形態に係る間仕切り構造１は、パネルの重ね合わせ作業と嵌め込み作業のみであるため、工具を使うことなく且つ性別の区別なく基本２人で容易に組み立てることができるが、１人で組み立てることも可能である。
解体作業もパネル間の嵌合を外すだけであるので、工具を使うことなく容易に行うことができる。解体後は各パネルや床材５の平面形状を利用して平積みでコンパクトに保管することができる。
【００３４】
上記では、２〜３人用の間仕切り構造１を例示したが、パネル数を変えることにより種々の大きさの間仕切り構造を構築することができる。また、間仕切り構造の配置形態も種々のバリエーションを採り得る。
例えば図９は、避難所としての学校の体育館に、出入り口３を同一向きとして通路１９を介して３連配置の間仕切り構造１を２列配置した例である。
図１０は、２〜３人用の間仕切り構造１と１人用の間仕切り構造１Ｅを混在配置した例である。
【００３５】
以上、本考案の実施の形態について詳述してきたが、具体的構成は、上記の各実施の形態に限定されるものではなく、本考案の趣旨を逸脱しない範囲における設計の変更があっても考案に含まれる。
上記では避難所での使用を例示したが、例えば、家庭、保育園、幼稚園等の遊具として間仕切り構造を用いてもよい。
また、第２のパネル９に２つの持手を形成したが、１つでもよく、さらには第１のパネル７にも２つの持手を形成してもよい。
第２のパネル９の下端開放スリット９ｃと固定用パネル１１の下端開放スリット１１ａの開放端を幅広としたが、幅広としなくてもよい。
また、本実施の形態における寸法、すなわち第１のパネル７と第２のパネル９における横幅Ｘと縦幅Ｚ、固定用パネル１１の横幅Ｘ１、上端開放スリット７ａ、９ａ、下端開放スリット９ｃ、１１ａの深さｈ、第２のパネル９の下端開放スリット９ｃの開放端幅ｔ１、固定用パネル１１の下端開放スリット１１ａの開放端幅ｔ２、第１のパネル７、第２のパネル９及び固定用パネル１１の各パネル厚み、上端開放スリット７ａ、９ａ、下端開放スリット９ｃ、１１ａの溝幅は、上記した寸法に限定されるものではないのは勿論である。
上記では各パネルを集成材（木質系材料）で形成したが、合成樹脂やアルミニウム等の軽金属で形成してもよい。
【符号の説明】
【００３６】
１…間仕切り構造            ７…第１のパネル      ７ａ、９ａ…上端開放スリット
７ｂ、９ｂ、１１ｂ…持手としての長穴              ９…第２のパネル
９ｃ、１１ａ…下端開放スリット                  １１…固定用パネル
【図１】
0003228861.tif 000003
【図２】
0003228861.tif 000004
【図３】
0003228861.tif 000005
【図４】
0003228861.tif 000006
【図５】
0003228861.tif 000007
【図６】
0003228861.tif 000008
【図７】
0003228861.tif 000009
【図８】
0003228861.tif 000010
【図９】
0003228861.tif 000011
【図１０】
0003228861.tif 000012